(57)【要約】 【課題】  本発明は、製本等のため用紙を四つ折りまたは八つ折り等所用の形態に折り曲げるための紙折り機であって、当該折曲げのための寸法設定をコンピュータ制御に依存する紙折り機において、その寸法設定の微調整化を図った紙折り機におけるデータ数値設定方法に関する。【解決手段】  コンピュータの入力画面に対する目的とする紙折りのために必要とするデータ数値の入力に基づき紙折り作動が行われるように構成した紙折り機であって、定規及び羽根の軸位置を手動的微調整した修正値を、コンピュータに対する当初入力データに変更値として反映させ、当該変更されたデータが爾後の自動紙折りのための入力データとして機能させるように構成した紙折り機におけるデータ数値設定方法。【選択図】  図１
2007308214.tif 000002
【特許請求の範囲】
【請求項１】
コンピュータの入力画面から、目的とする紙折りのために必要とするデータ数値を予め入力することにより所要の紙折り作動が行われるようにした紙折り機において、定規及び羽根に対する移動用軸の回転位置を手動に基づき微調整して得た修正値を、前記予め入力されているデータ数値に対する変更値として計算することにより修正入力データを計測し、当該修正入力データを以後の自動紙折りのための入力データとして使用するようにすることを特徴とする紙折り機における紙折り用データ数値の設定方法。
【請求項２】
定規及び羽根に対する移動用軸に対する駆動力としてステップモータを用い、当該ステップモータと移動用軸との接離制御を、励磁ボタンのオン・オフ操作に基づき行い、当該移動用軸に対する手動による微調整を、励磁ボタンのオフ操作に基づいて行い、当該微調整後は励磁ボタンのオン操作に基づきステップモータと移動用軸との再連結を図り、上記微調整により得られた修正値により、ステップモータコントローラのカウンタに対する修正処理計算を行うことにより、原点方向に当該モータを回転させ、同時に、当該修正処理計算によって得られた数値を修正入力データとし、当該修正入力データを以後の自動紙折りのための入力データとして使用するようにした請求項１に記載の紙折り機における紙折り用データ数値の設定方法。
【発明の詳細な説明】
【技術分野】
【０００１】
本発明は、製本等のため用紙を四つ折りまたは八つ折り等所用の形態に折り曲げるための紙折り機であって、当該折曲げのための寸法設定をコンピュータ制御に依存する紙折り機において、その寸法設定の微調整化を図った紙折り機におけるデータ数値の設定方法に関する。
【背景技術】
【０００２】
従来のコンピュータに依存して紙折り寸法の設定を行うようにした紙折り機は、製本等のため用紙を四つ折りまたは八つ折り等、所要の形態に折り曲げるための寸法的データをコンピュータに取り込み、当該取り込み数値に基づき爾後の連続的折畳み作業を自動的に行わせるように構成したものである。（例えば特許文献1参照）
【０００３】
上記したような従来のコンピュータによる寸法設定を行うようにした紙折り機は、予め入力した数値に基づき連続的紙折りが行われるように構成されているため、想定入力寸法と実際的寸法の誤差に基づき、折ずれ等の誤差動が生じる場合があつた。  このような誤作動の解消を図るためには、試し折りを行いながら、所謂職人的技量に依存した定規や羽根の位置の手動的微調整を行う必要性を生じることと成った。
【特許文献１】特開２００１−１０７６５号
【発明の開示】
【発明が解決しようとする課題】
【０００４】
上記したような従来のこの種の紙折り機は、始動前に入力した寸法に基づき爾後の寸法設定が継続して行われるように構成したものであったため、上記したような途中で行った手動的微調整に依る位置変更は、コンピュータに対して修正データとしての取り込みが行われないため、このような微調整的修正を生かすことができなかつた。
すなわち、自動的かつ連続的なる紙折り上の寸法的データは、あくまでも最初に入力したデータが生きており、上記のように途中で手動的修正を行っても、これは当該手動修正時の一回限りの修正として利用されるに過ぎず、続いての紙折りは最初の入力データに基づく紙折りに戻されてしまい、当該修正はなんら反映されないものであった。
【０００５】
本発明はこのような従来の問題を解決し、手動的に修正した寸法的数値が、コンピュータの入力数値として反映されるようにし、もって、上記したような従来の問題の解消した新規の紙折り機の提供を図ったものである。
【課題を解決するための手段】
【０００６】
本発明は  コンピュータの入力画面から、目的とする紙折りのために必要とするデータ数値を予め入力することにより所要の紙折り作動が行われるようにした紙折り機において、定規及び羽根に対する移動用軸の回転位置を手動に基づき微調整して得た修正値を、前記予め入力されているデータ数値に対する変更値として計算することにより修正入力データを計測し、当該修正入力データを以後の自動紙折りのための入力データとして使用するようにすることを特徴とする紙折り機における紙折り用データ数値の設定方法に係るものである。
【０００７】
そして、定規及び羽根に対する移動用軸に対する駆動力としてステップモータを用い、当該ステップモータと移動用軸との接離制御を、励磁ボタンのオン・オフ操作に基づき行い、当該移動用軸に対する手動による微調整を、励磁ボタンのオフ操作に基づいて行い、当該微調整後は励磁ボタンのオン操作に基づきステップモータと移動用軸との再連結を図り、上記微調整により得られた修正値により、ステップモータコントローラのカウンタに対する修正処理計算を行うことにより、原点方向に当該モータを回転させ、同時に、当該修正処理計算によって得られた数値を修正入力データとし、当該修正入力データを以後の自動紙折りのための入力データとして使用するようにしたことを実施の一つの態様とするものである。
【発明の効果】
【０００８】
本発明は、請求項１に記載のような構成、すなわち、コンピュータの入力画面から、目的とする紙折りのために必要とするデータ数値を予め入力することにより所要の紙折り作動が行われるようにした紙折り機において、定規及び羽根に対する移動用軸の回転位置を手動に基づき微調整して得た修正値を、前記予め入力されているデータ数値に対する変更値として計算することにより修正入力データを計測し、当該修正入力データを以後の自動紙折りのための入力データとして使用するようにしたから、紙折りの精度が高度化され、折ずれまたは不測の折れ発生等の問題発生をよく回避させることとなる。
【０００９】
すなわち、従来のように最初に入力させたデータ数値に対して、手動的修正値を反映することが出来ない方式であると、微調整的な修正を不可能とされたが、本発明にあっては、これを反映させることにより、きめ細かな数値修正が可能化され、良好なる紙折り作動が行われることとなる。
【発明を実施するための最良の形態】
【００１０】
本発明に用いるコンピュータ制御紙折り機は、コンピュータの入力画面から、目的とする紙折りのために必要とするデータ数値の入力に基づき、爾後、自動的なる紙折り作動が繰り返して行われるように構成したものを実施対象とするものである。  すなわち、目的とする紙折形態、使用する紙材の大きさ、紙質等に基づき自動的に設定されるようになっている一般的紙折り機を対象とするものである。
そして、従来のこの種紙折り機は、最初に入力したデータ数値が、爾後の連続的紙折り用データとして生きつづけるものであつたのものを、本発明おいては、途中で手動的に修正したデータが、最初に入力されたデータ数値に反映させてこれを加味した新たなデータ数値として機能するように改良したことを特徴とするものである。
【００１１】
すなわち、本発明に係る紙折り機に対する紙折り用データ数値の設定方法は、コンピュータの入力画面から、目的とする紙折りのために必要とするデータ数値を予め入力することにより所要の紙折り作動が行われるようにした紙折り機において、定規及び羽根に対する移動用軸の回転位置を手動に基づき微調整して得た修正値を、前記予め入力されているデータ数値に対する変更値として計算することにより修正入力データを計測し、当該修正入力データを以後の自動紙折りのための入力データとして使用するようにしたことを特徴とするものである。
いか、本発明に係る方法の具体的構成について説明する。
【００１２】
図３は本発明の実施大対象とする紙折り機の一例を表したものである。  同図に於いて、Ａは紙折り機本体、Ｂはその制御部（コンピュータ部）であって、その中央部分に所定の入力用画面が表示されるディスプレＣが設けられている。  図２は当該入力画面の主要画面を表したものである。
【００１３】
Ｄは紙折り用用紙装填枠基構部、Ｅは紙折り済み後の綴り込み糊付け基構部である。
そして、Ｆ及びＧは紙折り処理用羽根であるが、同図においてこれは２つの羽根を用いるように構成してあるが、実際には紙折り段数に応じて設定されるものである。
【００１４】
上記した紙折りは制御部Ｂに対して所定の紙折りのためのデータ数値を入力することにより、定規及び羽根の所定の位置へのセッティングが行われるように構成されている。  そして、このようなセッティングは入力された数値に基づき、所定のモータが始動して夫々の移動用軸を回転させて、当該定規及び羽根を所定ポジションに移動させるように構成されている。  なお、このような構成はコンピュータ制御による紙折り機に共通する構成、すなわち、公知技術に属するものである。
【００１５】
そして、従来のこの種の紙折り機は、最初に入力したデータ数値が、爾後の連続的紙折り用データとして生きつづけるものであつた。  すなわち、最初にセットしたデータ数値に基づき試し折りを行った後、微小のずれ等が発見された場合、これを手動に基づく微調整を行ったとしても、このような微調整はオプション的作動としてコンピュータによる読み取りが行われず、以後の紙折りについてはこのような微調整に基づく数値は無視され、以後の紙折りに於いては相変わらず最初に入力したデータ数値に基づく自動紙折りが行われるものである。
本発明にあっては、途中で手動的に修正した上記データが、最初に入力されたデータ数値に反映させてこれを加味した新たなデータ数値として機能するように改良したことを特徴とするものである。
【００１６】
先ず、図２に示すようなコンピュータの入力画面から、四つ折または八つ折り等のような目的とする紙折形態並びに使用する紙材の大きさ及び厚さのような紙質に関するデータ数値の入力を行う。  これは従来の紙折り機と同様である。
【００１７】
紙折り機における定規および羽根に対する移動用軸に対する駆動用動力としてステップモータを用い、当該移動用軸の作動を制御するための励磁機構を設け、当該励磁機構には、そのオン・オフ切換えを行うための接続制御ボタンを設けるように構成する。  そして、当該接続制御ボタンのオフ操作に基づき励磁を断つことにより、定規及び羽根の軸位置を手動的に調節することが出来るように構成する。  また、本発明に於いては、当該接続制御ボタンのオフ操作に基づき、定規及び羽根に対する軸移動機構の調節を、手動的に微調整を行うことができるように設定する。  なお、当該微調整は試し折りを行いながらその最適とする位置に対する修正値を探るものである。
【００１８】
上記したような手動による軸位置調節を施した後に接続制御ボタンを介して励磁をオン状態に復帰させる。
【００１９】
この状態で原点復帰ボタンを押すことにより、上記手動的修正値をコンピュータの入力数値に反映させるわけであるが、これは以下のような作動で行われる。
【００２０】
コンピュータは、ステップモータコントローラの減算カウンタに対する任意のデータの書き込み後、原点方向にモータを回転させる。  このような回転中に減算カウンタは、１パルスごとに一つづつ減算してゆくこととなる。  そして、ステップモータの回転はリミットスイッチがオンした時点で停止する。  このようにして回転が停止するとコンピュータは減算カウンタを読み出し、最初に入力したデータ数値から引き算をして移動パルス数を検知する。  そのため、コンピュータは移動パルス数から移動量を計算し、当該移動量は前記した手動的に微調整された励磁機構の軸位置データとして登録させられる。
【００２１】
なお、パルスカウントとして、上記した実施例にあっては減算カウンタを使用した場合を述べたが、加算カウンタを用いても単なる相対的な問題であり、同様に演算可能である。
【００２２】
上記したような軸位置データとしての登録に基づき、このような修正後は当該登録データに基づく紙折り作動が行われることとなる。
【００２３】
すなわち、本発明は上述したように、コンピュータの入力画面から、目的とする紙折りのために必要とするデータ数値を予め入力することにより所要の紙折り作動が行われるようにした紙折り機において、定規及び羽根に対する移動用軸の回転位置を手動に基づき微調整して得た修正値を、前記予め入力されているデータ数値に対する変更値として計算することにより修正入力データを計測し、当該修正入力データを以後の自動紙折りのための入力データとして使用するようにしたことを特徴とする紙折り機におけるデータ数値の設定方法に関するものである。
【００２４】
そして、本発明のこのような方法の採用は、前述したように、定規および羽根に対する軸移動用機構の駆動用動力としてステップモータを用いたこと、並びに、原点復帰としてその復帰数値をカウントさせて、そのカウント数値をステップモータの回転数値に反映させることにより可能化させたものである。
【図面の簡単な説明】
【００２５】
【図１】本発明の作動工程を表したブロック線図である。
【図２】本発明に用いる紙折り機の制御装置に設けた表示画面の一例を示す説明用平面図である。
【図３】実施対象とする紙折り機の全体を表した正面図である。
【符号の説明】
【００２６】
Ａ  紙折り機本体
Ｂ  制御部
Ｃ  ディスプレ
Ｄ  紙折り用用紙装填枠基構部
Ｅ  紙折り済み後の綴り込み糊付け機構部
Ｆ  紙折り処理用羽根
Ｇ  紙折り処理用羽根
【図１】
2007308214.tif 000003
【図２】
2007308214.tif 000004
【図３】
2007308214.tif 000005